(57)【特許請求の範囲】
【請求項１】
内容物が収容されるとともに内容物の減少に伴いしぼみ変形する可撓性の内容器、および該内容器が内装されており、弾性変形して該内容器との間に外気を吸入するための吸気孔が形成された外容器を有する容器本体と、
上面が水平な平滑面とされた天面部を備え、前記内容物を吐出する吐出筒及び有頂筒状の外気導入用突起とが該天面部にそれぞれ独立した状態で立設され、該容器本体の口部に装着される吐出キャップと、
前記天面部から離間した状態で前記外気導入用突起に形成され、外部と前記吸気孔とを連通する外気導入孔と、
該外気導入孔と前記吸気孔との連通およびその遮断を切り替える空気弁部と、
前記吐出キャップに着脱可能に装着されるオーバーキャップと、を備える吐出容器において、
前記吐出筒は、外気導入用突起側の後端部からその反対側の前端部に向かって斜め上方に傾斜する上端開口縁を備えており、
前記外気導入用突起は、天面部から立設される筒状体と、該筒状体の上端部を覆うドーム状の頂壁部とを有し、平面視において径方向の厚みよりも周方向への長さが長く、天面部からの突出高さを３．０ｍｍから３．５ｍｍの範囲で、且つ、前記吐出筒の前端部より低く、後端部より高くなるように形成し、
平面視における該外気導入用突起の投影面積が、前記天面部の７．０％未満とされていることを特徴とする吐出容器。
【請求項２】
前記吐出筒から内容物を吐出させるために当該吐出容器を傾けて吐出姿勢にした状態で、前記外気導入用突起が前記吐出筒よりも高くなる位置に形成されるとともに、前記外気導入孔が鉛直上方向きに開口した状態に形成されていることを特徴とする、請求項１に記載の吐出容器。
【請求項３】
前記外気導入用突起は、前記天面部において周方向に沿って円弧状に湾曲していることを特徴とする、請求項１または２に記載の吐出容器。
【発明の詳細な説明】
【技術分野】
【０００１】
本発明は、吐出容器に関する。さらに詳述すると、本発明は、積層剥離構造の吐出容器におけるキャップ構造の改良に関する。
【背景技術】
【０００２】
容器を主に押圧することにより内容液を注出するようにした吐出容器として、従来、内容液が収容された内容器（内層）と、該内容器が積層された外容器（外層）とを有する積層剥離容器（デラミ容器等とも呼ばれる）が利用されている。一般的な積層剥離容器において、内容器は、内容液の減少に伴いしぼみ変形する可撓性材料で形成されており、また、外容器は、弾性変形する材料で形成され、吐出された内容液に応じた量の外気を外気導入孔から吸気し、内容器との間に導入するようになっている（例えば特許文献１，２参照）。
【０００３】
このような積層剥離容器をはじめとする吐出容器としては、外気を容器内へと取り込むための外気導入孔が蓋部（吐出キャップ）に形成されているものが知られている（例えば特許文献３，４参照）。
【先行技術文献】
【特許文献】
【０００４】
【特許文献１】特許第４０２４３９６号公報
【特許文献２】特許第３６８８３７３号公報
【特許文献３】実開平０７−０００８６０号公報
【特許文献４】特開２０１１−０８４２８３号公報
【発明の概要】
【発明が解決しようとする課題】
【０００５】
しかしながら、上述した特許文献３，４等のごとき従来の吐出容器においては、液だれ等して吐出キャップに付着した内容液が外気導入孔から吸い込まれてしまう場合がある。また、これら従来の吐出容器においては、液だれ等して吐出キャップに付着した内容液が拭き取り難い場合もある。
【０００６】
そこで、本発明は、液だれ等して吐出キャップに付着した内容液が外気導入孔から吸い込まれるのを回避できるようにした吐出容器を提供することを目的とする。また、本発明は、液だれ等して吐出キャップに付着した内容液を拭き取り易くした吐出容器を提供することを目的とする。
【課題を解決するための手段】
【０００７】
かかる課題を解決するべく本発明者は種々の検討を行った。上述のごとき従来の吐出容器においては、容器の吐出キャップに段部を形成し、例えば当該段部の上面や周面背面部を外気取入れ用の開口形成部として利用している場合がある（例えば特許文献２の図２や図７、特許文献４の図５等参照）。このような容器においては、液だれして吐出キャップに付着した内容液が外気導入孔から吸い込まれることがあり、そうすると、積層剥離容器において、外気（空気）のみが導入されるべき内容器と外容器との間に内容液が入り込んでしまうこととなる。この場合、特に内容液が視認できるよう外容器や内容器に透明や半透明のフィルムを用いた容器においては、本来は空気のみが導入されるべき内容器と外容器との間に内溶液が入り込んでしまうのが否応なく見えてしまい、使用者にとっては構造に疑問を呈するばかりか見た目にも麗しくなく、使用感を損ねてしまうことになりかねない。
【０００８】
また、液だれして吐出キャップに付着した内容液を拭き取る場面を検討してみると、当該吐出キャップの天面が平らな面で形成されていれば一拭きで済むなど拭き取りが比較的容易になると考えられるが、実際には、上述のごとく吐出キャップに段部が形成されていることがある。そうすると、天面を一拭きしても拭き取りきれなかった内容液が段部の凹みに残ってしまうなど、使用者にとって見た目に麗しくなく、やはり使用感を損ねてしまうことになりかねない。
【０００９】
容器の従来構造や該構造に基づくこれらの事象についてさらに検討を重ねた本発明者は、かかる課題の解決に結び付く知見を得るに至った。本発明はかかる知見に基づくもので、内容物が収容されるとともに内容物の減少に伴いしぼみ変形する可撓性の内容器、および該内容器が内装されており、弾性変形して該内容器との間に外気を吸入するための吸気孔が形成された外容器を有する容器本体と、上面が水平な平滑面とされた天面部を備え、内容物を吐出する吐出筒及び有頂筒状の外気導入用突起とが該天面部にそれぞれ独立した状態で立設され、該容器本体の口部に装着される吐出キャップと、天面部から離間した状態で外気導入用突起に形成され、外部と吸気孔とを連通する外気導入孔と、該外気導入孔と吸気孔との連通およびその遮断を切り替える空気弁部と、吐出キャップに着脱可能に装着されるオーバーキャップと、を備える吐出容器において、吐出筒は、外気導入用突起側の後端部からその反対側の前端部に向かって斜め上方に傾斜する上端開口縁を備えており、外気導入用突起は、天面部から立設される筒状体と、該筒状体の上端部を覆うドーム状の頂壁部とを有し、平面視において径方向の厚みよりも周方向への長さが長く、天面部からの突出高さを３．０ｍｍから３．５ｍｍの範囲で、且つ、吐出筒の前端部より低く、後端部より高くなるように形成し、平面視における該外気導入用突起の投影面積が、天面部の７．０％未満とされているものである。
【００１０】
当該吐出容器における外気導入孔は、天面部から突出した状態に立設された外気導入用突起に形成されていることから、当該天面部よりも高い位置に該天面部からの空間的距離をおいて位置している。このため、吐出口から液だれした内容物が吐出キャップに付着したとしても、当該液だれした内容物が外気導入孔から吸い込まれるのを回避することができる。
【００１１】
また、本発明に係る吐出容器においては、内容物を吐出する吐出筒の開口面積を吐出キャップの天面部において比較的広く確保しやすい。このため、該吐出筒で構成される内容物の吐出口を広くして内容物をより注ぎやすい容器を構築することができる。
【００１２】
また、本発明によれば、内容物を注いだ吐出容器を正立状態に戻した際に内容物が吐出筒から飛散しても、外気導入用突起の側壁（外気導入孔が形成されていない側面）が飛散した内容物を遮り、外気導入孔から容器内へ入り込むのを阻止する。
【００１３】
さらに、本発明に係る吐出容器においては、外気導入用突起の上面が湾曲面（ドーム状）に形成されており、また天面部に対する外気導入用突起の占有面積を比較的小さくすることができることもあって、吐出キャップに付着した内容物を引っ掛かりが少ない状態でスムーズに拭き取りやすくすることが可能である。
【００１４】
本発明に係る吐出容器は、吐出筒から内容物を吐出させるために当該吐出容器を傾けて吐出姿勢にした状態で、外気導入用突起が吐出筒よりも高くなる位置に形成されるとともに、外気導入孔が鉛直上方向きに開口した状態に形成されていてもよい。
【００１５】
また、外気導入用突起は、天面部において周方向に沿って円弧状に湾曲していてもよい。
【発明の効果】
【００１６】
本発明によれば、液だれして吐出キャップに付着した内容液が外気導入孔から吸い込まれるのを回避することができる。また、本発明によれば、液だれして吐出キャップに付着した内容液を拭き取り易くすることができる。
【図面の簡単な説明】
【００１７】
【図１】本発明の一実施形態に係る吐出容器の全体を示す部分断面図である。
【図２】吐出容器における内容物の吐出時の作用を説明する縦断面図である。
【図３】内容物の吐出後、吐出容器が復元する時の作用を説明する縦断面図である。
【図４】オーバーキャップで被蓋した状態の吐出キャップの斜視図である。
【図５】オーバーキャップを開蓋した状態の吐出キャップの斜視図である。
【図６】オーバーキャップを開蓋した状態の吐出キャップの側面図である。
【図７】オーバーキャップを開蓋した状態の吐出キャップの平面図である。
【図８】オーバーキャップで被蓋した状態の吐出キャップの一部を示す縦断面図である。
【図９】図８の一部を拡大して示す図である。
【発明を実施するための形態】
【００１８】
以下、図面を参照し、本発明の一実施形態に係る吐出容器について説明する。
【００１９】
図１に示すように、吐出容器１０は、内容物Ｍが収容されるとともに内容物Ｍの減少に伴いしぼみ変形する可撓性に富む内容器１１と、内容器１１が内装されるとともに弾性変形可能な外容器１２とを備える容器本体１３、容器本体１３の口部１３ａに装着され、内部が内容物Ｍを吐出する吐出口１４とされる吐出筒３６が形成された吐出キャップ１５、吐出キャップ１５に着脱自在に配設されたオーバーキャップ１６等を備えている。
【００２０】
ここで、容器本体１３は有底筒状に形成され、オーバーキャップ１６は有頂筒状に形成され、オーバーキャップ１６を吐出キャップ１５に装着した被蓋状態において、これら容器本体１３およびオーバーキャップ１６の各中心軸が共通軸上に位置するように配置されている（図８等参照）。以下、この共通軸を容器軸Ｏといい、容器軸Ｏ方向に沿ってオーバーキャップ１６側を上側、容器本体１３の図示しない底部側を下側といい、また容器軸Ｏに直交する方向を径方向といい、容器軸Ｏを中心に周回する方向を周方向という。
【００２１】
なお、オーバーキャップ１６は、ヒンジ部１６ａによって吐出キャップ１５に接続されていてもよい（図２等参照）。内容物Ｍを吐出口１４から吐出させる際にオーバーキャップ１６が邪魔にならないよう、このヒンジ部１６ａは、吐出口１４が下方を向くように吐出容器１０を傾けて吐出姿勢にした状態で吐出口１４よりも高い位置になるように配置されている。
【００２２】
容器本体１３は、内容器１１が外容器１２の内面に剥離可能に積層されたいわゆるデラミボトルとなっている。該容器本体１３は、例えば、共押出し成形した二層構造のパリソンをブロー成形することにより成形される。外容器１２は、例えばポリエチレン樹脂製やポリプロピレン樹脂製等とされるとともに、内容器１１は、例えば外容器１２を形成する樹脂に対して相溶性のないポリアミド系の合成樹脂製やエチレンビニルアルコール共重合樹脂製等とされている。
【００２３】
容器本体１３の口部１３ａは、上側に位置する上筒部１７と、下側に位置し上筒部１７よりも大径に形成された下筒部１８と、を備える二段筒状に形成されている（図２等参照）。上筒部１７のうち、外容器１２で構成された部分（以下、外上筒部という）１７ａの外周面には雄ねじ部２９が形成されている。また、外上筒部１７ａにおいて、雄ねじ部２９より下側に位置する部分には、内容器１１との間に外気が吸入される吸気孔１９が形成されている（図３等参照）。雄ねじ部２９において吸気孔１９の上側に位置する部分には、容器軸Ｏ方向に延在する連通溝２０が形成されている。
【００２４】
外上筒部１７ａの内周面は円筒面とされ、この内周面に、上筒部１７のうち、内容器１１で構成された部分（以下、内上筒部という）１７ｂが積層されている（図２等参照）。内上筒部１７ｂの上端部は、径方向の外側に折り返されて外上筒部１７ａの開口端上に配置されている。
【００２５】
吐出キャップ１５は、容器本体１３の口部１３ａを閉塞する中栓部材２１と、該中栓部材２１を覆うとともに吐出口１４が形成された有頂筒状の本体筒部材２３と、を備えている（図２等参照）。中栓部材２１は、外周縁部が容器本体１３の口部１３ａの開口端上に配置された栓本体４７と、該栓本体４７から立設された連通筒部２２と、を備えている。
【００２６】
栓本体４７は、容器本体１３の口部１３ａ内に、該口部１３ａとの間に隙間をあけて配置された有底筒状の内筒部２４と、内筒部２４の上端から径方向の外側に向けて突設され、容器本体１３の口部１３ａの開口端上に配置されたフランジ部２５と、フランジ部２５の外周縁から上方に向けて延設された外筒部２６と、内筒部２４を径方向の外側から囲繞するようにフランジ部２５から下方に向けて延設され、容器本体１３の口部１３ａ内に液密に嵌合された中間筒部２７と、を備えている（図２等参照）。これら内筒部２４、フランジ部２５、外筒部２６および中間筒部２７は、容器軸Ｏと同軸に配設されている。また外筒部２６の下端部には、径方向に貫通し、かつ下方に向けて開口する外気流通孔２８が形成されている。
【００２７】
内筒部２４の底壁部には、上記の連通筒部２２が配設されている。またこの底壁部には、内容器１１内および連通筒部２２内の双方に開口する貫通孔４２が貫設されている。該貫通孔４２は、例えば容器軸Ｏを中心として均等に配置された複数の小孔によって構成されている（図２等参照）。
【００２８】
本体筒部材２３は、容器軸Ｏと同軸に配置された有頂筒状に形成されている。この本体筒部材２３の周壁部２３ａの内周面には、容器本体１３の口部１３ａの雄ねじ部２９に螺着された雌ねじ部３０が形成されている。また周壁部２３ａのうち、雌ねじ部３０が形成されたねじ部分よりも下側に位置する下端部内には、容器本体１３の口部１３ａにおける下筒部１８が気密状態で嵌合され、上記ねじ部分よりも上側に位置する上端部内には、中栓部材２１の外筒部２６が嵌合されている。
【００２９】
吐出キャップ１５の天面部３１には、内容物Ｍを吐出する吐出口１４が形成されている（図５等参照）。本実施形態の吐出容器１０において、この吐出口１４は容器軸Ｏと同軸となるように形成されているが（図２等参照）、該容器軸Ｏからずれた位置に形成されていてもよい。
【００３０】
さらに、吐出キャップ１５の天面部３１には、上方に突出する外気導入用突起３３が形成され、該外気導入用突起３３に外気導入孔３４が形成されている（図２等参照）。内容物Ｍが外気導入孔３４から吸い込まれるのを回避するため、この外気導入用突起３３は、吐出口１４から内容物Ｍを吐出させるために当該吐出容器１０を傾けて吐出姿勢にした状態で、当該吐出口１４よりも高くなる位置に形成されている（図２等参照）。
【００３１】
例えば本実施形態において、外気導入用突起３３は吐出口１４とヒンジ部１６ａとの間に立設するように形成されて、天面部３１（上面）から立設された筒状体３３ａと該筒状体３３ａの上端部を覆うドーム状の頂壁部３３ｂとを備えている（図９参照）。
前記頂壁部３３ｂをドーム状（湾曲面）に形成することにより、吐出キャップ１５に付着した内容液の拭き取り時の引っ掛かりを防止する。
また、外気導入孔３４は、天面部３１よりも高くなる位置に該天面部３１から空間的距離をおいて配置されている。このため、仮に吐出口１４から液だれした内容物Ｍが吐出キャップ１５の外面に付着したとしても、当該液だれした内容物Ｍが外気導入孔３４から吸い込まれにくい。また、外気導入孔３４は、吐出口１４から内容物を吐出させるために当該吐出容器１０を傾けて吐出姿勢にした際、上方に開口した状態、より好ましくは外気導入用突起３３の鉛直上方向きに開口した状態となるように形成されている（図２等参照）。
さらに、本実施形態の平面視（図７参照）における外気導入用突起３３の投影面積は、天面部３１の投影面積に対して７．０％未満とされ、外気導入用突起３３の天面部３１（平滑上面）からの突出高さを３．０〜３．５ｍｍの範囲としている。
このように、外気導入用突起３３の形成範囲および突出高さを小さくすることにより、液だれして吐出キャップ１５に付着した内容液の拭き取りが容易になる。
尚、外気導入用突起３３の投影面積は、前記筒状体３３ａの周壁の延長線と天面部３１（平滑上面）との交点で区画される範囲となっている。
前記筒状体３３ａの周壁と天面部３１との間に、本実施形態（図９参照）のようななだらかな曲面で形成される接続部３１ａを設けても良い。
【００３２】
上述した外気導入用突起３３の具体的形状は特に限定されないが、例えば本実施形態では、吐出キャップ１５の径方向（容器軸Ｏに垂直な方向）の厚みよりも周方向への長さが長い、吐出口１４を中心とした円弧に沿って湾曲した形状に形成されている（図５参照）。このような形状の外気導入用突起３３によれば、液だれ等して吐出キャップ１５の外面に付着した内容物Ｍが外気導入孔３４に近付くのを阻止して当該外気導入孔３４から吸い込まれるのを回避することができる。このような外気導入用突起３３は、吐出口１４を中心とした円弧に沿って湾曲していることも好ましい。
【００３３】
吐出キャップ１５には、被蓋状態時のオーバーキャップ１６が係合する係合部３２が形成されている。例えば本実施形態では、吐出キャップ１５の上端部の周囲に、径方向に僅かに張り出した段部が形成されており、該段部によって、被蓋状態時のオーバーキャップ１６が係合する係合部３２が形成されている（図２、図５等参照）。
【００３４】
また、天面部３１は水平な平滑面とされた平面視円形の上面（平滑上面）と、該平滑上面と滑らかに連続して形成される前記係合部３２の上面（接続部分から最外縁部（最大外径部分）までの範囲）とからなる。前記係合部３２の上面は、例えば縦断面において外方に凸の曲線で形成されている。例えば本実施形態の吐出容器１０においては、天面部３１の上面のうち、吐出口１４が形成されている部位と外気導入用突起３３が形成されている部位とを除く部分が水平な平滑面とされている。この場合、液だれ等した内容物Ｍが吐出キャップ１５の天面部３１に付着したとしても一拭きで拭き取ることができるなど、拭き取りが容易である。
【００３５】
天面部３１には、下方に向けて延設され、外径が後述する外嵌筒部４０の内径と同等とされた受け筒部３５が形成されている。さらに天面部３１には、内部が上記吐出口１４とされた吐出筒３６が貫設されている。
この吐出筒３６は、後端側（外気導入用突起３３側）からその反対の前端側に向かって斜め上方に傾斜する上端開口縁を備えており、その後端側が外気導入用突起３３よりも低く、前端部が外気導入用突起３３よりも高くなるように形成されている。
この構成によって、前記上端開口縁の開口面積を大きく確保することができ、仮に吐出筒３６の後端側から内容液の液はねが生じた場合においても、外気導入孔３４に内容液が流入することが防止される。
【００３６】
なお、吐出筒３６内には、オーバーキャップ１６から下方に向けて延設された内シール筒部（シール部）３７が嵌合される（図１、図５、図８等参照）。また、内シール筒部３７の周囲には、オーバーキャップ１６の裏面から下方へ向けて突設された環状突部３８が形成されている（図５等参照）。
【００３７】
ここで中栓部材２１と本体筒部材２３との間には、中栓部材２１の連通筒部２２に外嵌された外嵌筒部４０が配設されている。該外嵌筒部４０は、容器軸Ｏと同軸に配置されており、外嵌筒部４０の下端部は、連通筒部２２に外嵌されるとともに中栓部材２１の内筒部２４内に嵌合し、外嵌筒部４０の上端部は、本体筒部材２３の受け筒部３５に外嵌している。
【００３８】
外嵌筒部４０の容器軸Ｏ方向における中間部分には、径方向の外側に向けて突設された環状の空気弁部４１が形成されている（図２、図３参照）。空気弁部４１は、弾性変形可能とされ、吸気孔１９と外気導入孔３４との連通およびその遮断を切り替える。
【００３９】
また中栓部材２１には、吐出筒３６と内容器１１内とを連通する連通凹部４３が形成されている。連通凹部４３は、連通筒部２２の内部により構成され、容器軸Ｏと同軸に配置されている。これにより、容器軸Ｏ方向と、連通凹部４３の軸線方向とは一致している。また図示の例では、連通凹部４３は、吐出筒３６よりも下側、つまり容器軸Ｏ方向に沿った内容器１１の内側に位置している。さらに連通凹部４３の内容積は、吐出筒３６の内容積よりも大きくなっている。
【００４０】
中栓部材２１の連通筒部２２内には、容器軸Ｏ方向に沿って摺動可能に嵌合され、容器軸Ｏ方向に沿って摺動して当該連通凹部４３を開閉する弁体部４４が配設されている。弁体部４４は、容器軸Ｏと同軸に配置された有底筒状に形成され、さらに容器軸Ｏ方向の上側端部（上端部）から径方向外方に突設された環状のフランジ部を有する形状とされている。この弁体部４４に対し、連通筒部２２の環状の上端面が、当該フランジ部と当接して該弁体部４４を受ける弁座（弁押さえ）として機能する。このとき、弁体部４４の外周面と連通凹部４３の内周面とが接触せずに隙間を空けて近接する構造としてもよいし、弁体部４４の底面が、栓本体４７において連通筒部２２よりも径方向の内側に位置する部分に当接しないような構造としてもよい。
【００４１】
また弁体部４４の上端は、連通筒部２２の上端面に当接するかあるいは該上端面よりも上側に位置しており、図２および図３に示すように、弁体部４４の上端には、弁体部４４と外嵌筒部４０とを連結する連結片４５の一端が連結されている。連結片４５は、周方向に間隔をあけて複数、図示の例では３つ設けられており、各連結片４５は、周方向に沿って湾曲して延在している。また連結片４５の両端部の容器軸Ｏ方向の位置は同等となっている。なお弁体部４４、外嵌筒部４０、連結片４５および空気弁部４１は一体に成形され、連結体４８を構成している。
【００４２】
次に、以上のように構成された吐出容器１０の作用について説明する。
【００４３】
図２に示すように、当該吐出容器１０から内容物Ｍを吐出するときには、まず、吐出キャップ１５からオーバーキャップ１６を外す。その後、吐出口１４が水平面よりも下方を向くように吐出容器１０を傾けて吐出姿勢にした状態で、吐出容器１０を径方向の内側に押し込むように加圧してスクイズ変形（弾性変形）させ、内容器１１を外容器１２とともに変形させ減容させる。
【００４４】
すると、内容器１１内の圧力が上昇し、内容器１１内の内容物Ｍが貫通孔４２を通して弁体部４４を押圧することとなり、連結片４５が弾性変形させられて弁体部４４が容器軸Ｏ方向に沿って内容器１１の外側に向けて摺動させられて、連通凹部４３が開放される。これにより、内容器１１内の内容物Ｍが、貫通孔４２、連通凹部４３、外嵌筒部４０内および吐出口１４を通して外部に吐出される（図２参照）。
【００４５】
その後、吐出容器１０の押し込みを停止したり解除したりすることで、内容器１１内の内容物Ｍによる弁体部４４への押圧力を弱めると、吐出容器１０の弾性復元力により生じる圧力差により、弁体部４４が、容器軸Ｏ方向に沿って内容器１１の内側に摺動する（図３参照）。
【００４６】
このとき図３に示すように、弁体部４４が、連通凹部４３内に進入すると、弁体部４４の外周面が連通凹部４３の内周面に摺接して連通凹部４３と該弁体部４４との間の隙間が閉塞される。これにより、本体筒部材２３と中栓部材２１との間に、内容器１１に戻されなかった内容物Ｍが残存する内空間４６が形成される。この内空間４６は、吐出口１４に連通するとともに弁体部４４を画壁の一部とし、該弁体部４４により連通凹部４３との連通が遮断されている。
【００４７】
そして、このように内空間４６が形成された後、該弁体部４４が継続して連通凹部４３内を容器軸Ｏ方向に沿って摺動すると、該摺動に伴って内空間４６の内容積が増大することとなる。これにより、吐出口１４内の内容物Ｍを内空間４６内に引き込むことが可能になり、吐出口１４内に外部から空気を吸引することができる。
【００４８】
ここで、弁体部４４により連通凹部４３が閉塞された状態で容器本体１３の押圧を解除すると、内容器１１が減容変形したまま外容器１２が復元変形しようとする。このとき、内容器１１と外容器１２との間に負圧が発生し、この負圧が、吸気孔１９を通して空気弁部４１に作用することにより、空気弁部４１が開状態となる。すると、外気導入孔３４、外気流通孔２８、連通溝２０および吸気孔１９を通して外容器１２と内容器１１との間に外気が吸入される（図３参照）。そして、外容器１２と内容器１１との間の内圧が大気圧まで上昇すると、空気弁部４１が復元変形して吸気孔１９と外部とを遮断する。これにより、内容物Ｍの吐出後に内容器１１の減容形状が保持される。
【００４９】
この状態から、再び容器本体１３の外容器１２をスクイズ変形させると、空気弁部４１は遮断状態とされていることから外容器１２と内容器１１との間の内圧が正圧となり、この正圧によって内容器１１が減容変形され、前述の作用により内容物Ｍが吐出される。
【００５０】
なお、内容物Ｍを吐出した後、弁体部４４により連通凹部４３が閉塞される前に、吐出容器１０の押し込みを停止するだけでなく解除もした場合、内容器１１が外容器１２に追従して復元変形しようとする。すると、内容器１１内の圧力が低下し負圧が生じることとなり、この負圧が弁体部４４に作用することで、弁体部４４が、容器軸Ｏ方向に沿って内容器１１の内側に向けて円滑に摺動させられることとなる。
【００５１】
以上説明したように、本実施形態に係る吐出容器１０によれば、内容物Ｍの吐出後、吐出口１４内の内容物Ｍを内空間４６内に引き込んで、吐出口１４内に外部から空気を吸引することができるので、内容器１１に戻されなかった内容物Ｍが吐出口１４内に残存するのを抑えることが可能になる。これにより、内容物Ｍの吐出後、内容物Ｍが吐出口１４から漏出するのを抑制することができる。
【００５２】
また、弁体部４４が、意図せずに上記の軸線方向に沿った内容器１１の内側に変位しようとしても、弁体部４４のフランジ部が、栓本体４７において連通筒部２２の環状の上端面に当接することとなり、弁体部４４の前述の変位を規制することができる。
【００５３】
また本実施形態のように、当該吐出容器１０の未操作時に、弁体部４４の底面が栓本体４７に当接している場合には、弁体部４４により連通凹部４３と貫通孔４２との連通を遮断することができる。さらにこの場合、前述のように内容物Ｍを吐出して上記の内空間４６が形成された後、弁体部４４が復元変位するときに、該弁体部４４が、連通凹部４３内を容器軸Ｏ方向の全長にわたって摺動することができる。これにより、内空間４６の内容積を確実に増大させることが可能になり、前述の作用効果を顕著に奏功させることができる。
【００５４】
また、オーバーキャップ１６に内シール筒部３７が設けられているので、オーバーキャップ１６を閉じた状態で吐出口１４から内容物Ｍが不意に漏出するのを抑制することができる。また前述のように、内容物Ｍの吐出後、内容器１１に戻されなかった内容物Ｍが吐出口１４内に残存し難くなっているので、内容物Ｍの吐出後にオーバーキャップ１６を吐出キャップ１５に装着させ、内シール筒部３７を吐出口１４内に嵌合させたときに、内シール筒部３７により内容物Ｍが吐出口１４から外部に押し出されたり、内シール筒部３７に内容物Ｍが付着したりするのを抑制することができる。
【００５５】
なお、本発明の技術的範囲は上記実施形態に限定されるものではなく、本発明の趣旨を逸脱しない範囲において種々の変更を加えることが可能である。
【産業上の利用可能性】
【００５６】
本発明は、積層剥離構造の吐出容器に適用して好適なものである。
【符号の説明】
【００５７】
１０…吐出容器、１１…内容器、１２…外容器、１３…容器本体、１３ａ…口部、１５…吐出キャップ、１６…オーバーキャップ、１９…吸気孔、３１…天面部、３２…係合部（オーバーキャップ１６と係合する部位）、３３…外気導入用突起、３４…外気導入孔、３６…吐出筒、４１…空気弁部、Ｍ…内容物、Ｏ…容器軸（軸線）
【図１】
0005667010.tif 000002
【図２】
0005667010.tif 000003
【図３】
0005667010.tif 000004
【図４】
0005667010.tif 000005
【図５】
0005667010.tif 000006
【図６】
0005667010.tif 000007
【図７】
0005667010.tif 000008
【図８】
0005667010.tif 000009
【図９】
0005667010.tif 000010